(57)【要約】【解決手段】本発明は、容器Ｂの側壁３に一体的に形成された固定カード差し部材Ｃ１に、取り外し自在カード差し部材Ｃ２を取り付けたカード取付け容器に関するものである。【効果】容器の側壁に一体的に形成された固定カード差し部材に、取り外し自在カード差し部材を取り付けたので、大きさの異なるカードや厚さの異なるカード等の種々のカードを、容器に配設することができる。【選択図】図７
2010208668.tif 000002
【特許請求の範囲】
【請求項１】
容器の側壁に一体的に形成された固定カード差し部材に、取り外し自在カード差し部材を取り付けたことを特徴とするカード取付け容器。
【請求項２】
取り外し自在カード差し部材に形成された嵌合凹部に、固定カード差し部材を構成するカード押え弾性片の上部が嵌合されるように構成されていることを特徴とする請求項１に記載のカード取付け容器。
【発明の詳細な説明】
【技術分野】
【０００１】
本発明は、容器に関する情報や容器に収容される物品に関する情報等の種々の情報が蓄積されたカードが取り付け可能なカード取付け容器に関するものである。
【背景技術】
【０００２】
容器の下部水平リブと該下部水平リブの直ぐ上に形成された係止片との間に形成された間隙に、カード差し部材の下端に位置する板状の取付基板を嵌合することにより、容器の下部水平リブに、カード差し部材を取り付けるように構成されたカード取付け容器が、一例として、特許文献１に記載されている。
【先行技術文献】
【特許文献】
【０００３】
【特許文献１】実公平４−９３２３号公報
【発明の概要】
【発明が解決しようとする課題】
【０００４】
上述したカード取付け容器におけるカード差し部材は、容器の下部水平リブと係止片との間に形成された間隙に、カード差し部材の取付基板が嵌合されているだけであるので、カード差し部材に、カード差し部材が配設されている側壁から離反する方向の負荷が加わった際に、カード差し部材が、容器から外れるという問題があった。
【０００５】
本発明の目的は、上述した従来のカード取付け容器が有する課題を解決することにある。
【課題を解決するための手段】
【０００６】
本発明は、上述した目的を達成するために、第１には、容器の側壁に一体的に形成された固定カード差し部材に、取り外し自在カード差し部材を取り付けたものであり、第２には、取り外し自在カード差し部材に形成された嵌合凹部に、固定カード差し部材を構成するカード押え弾性片の上部が嵌合されるように構成したものである。
【発明の効果】
【０００７】
容器の側壁に一体的に形成された固定カード差し部材に、取り外し自在カード差し部材を取り付けたので、大きさの異なるカードや厚さの異なるカード等の種々のカードを、容器に配設することができる。
【０００８】
取り外し自在カード差し部材に形成された嵌合凹部に、固定カード差し部材を構成するカード押え弾性片の上部が嵌合されるように構成したので、取り外し自在カード差し部材に、側壁から遠ざかる方向の負荷が加わっても、取り外し自在カード差し部材に形成された嵌合凹部には、固定カード差し部材を構成するカード押え弾性片の上部が嵌合されているので、取り外し自在カード差し部材が、側壁から離脱するようなことを防止することができる。
【図面の簡単な説明】
【０００９】
【図１】図１は、本発明のカード取付け容器の斜視図である。
【図２】図２は、本発明のカード取付け容器の部分拡大斜視図である。
【図３】図３は、同じく、本発明のカード取付け容器の部分拡大斜視図である。
【図４】図４は、本発明のカード取付け容器に、取り外し自在に取り付けられる取り外し自在カード差し部材の前方からの斜視図である。
【図５】図５は、本発明のカード取付け容器に、取り外し自在に取り付けられる取り外し自在カード差し部材の裏面側からの斜視図である。
【図６】図６は、本発明のカード取付け容器に、取り外し自在カード差し部材を取り付ける取付途中の部分拡大斜視図である。
【図７】図７は、本発明のカード取付け容器に、取り外し自在カード差し部材が取り付けられた状態の部分拡大斜視図である。
【図８】図８は、本発明のカード取付け容器に取り付けられた取り外し自在カード差し部材に、カードが配置された状態の部分拡大斜視図である。
【図９】図９は、本発明のカード取付け容器の部分拡大斜視図である。
【図１０】図１０は、本発明のカード取付け容器に取り付けられるカード収容部材の前方からの斜視図である。
【図１１】図１１は、本発明のカード取付け容器に取り付けられるカード収容部材の裏面側からの斜視図である。
【図１２】図１２は、取り外し自在カード差し部材及びカード収容部材が取り付けられた状態の本発明のカード取付け容器の斜視図である。
【実施例】
【００１０】
先ず最初に、図１を用いて、本発明のカード取付部材が取り付けられるカード取付け容器（以下、単に、容器ともいう。）Ｂについて説明する。
【００１１】
本実施例においては、容器Ｂは、底部１と、底部１の相対する一方の長辺側土手部１ａにヒンジ連結された相対する長側壁２と、底部１の相対するもう一方で、且つ、長辺側土手部１ａより高さの低い短辺側土手部１ｂにヒンジ連結された相対する短側壁３とからなる折り畳み容器Ｂとして構成されている。図１に示されているように、箱型に組み立てられた状態から、先ず最初に、相対する短側壁３を、底部１に重なるように略水平状態に倒し、次いで、相対する長側壁２を、先に倒された短側壁３に重なるように略水平状態に倒すことにより、高さの低いコンパクトな状態に折り畳むことができるように構成されている。
【００１２】
短側壁３は、板部３ａと、板部３ａの所定の下部から容器Ｂの外側に向かって水平に延在する下端水平リブ３ｂと、板部３ａの上端から容器Ｂの外側に向かって水平に延在する上端水平リブ３ｃと、下端水平リブ３ｂから所定の間隔を置いて配置された、容器Ｂの外側に向かって水平に延在する中間水平リブ３ｄを有している。また、下端水平リブ３ｂと中間水平リブ３ｄとは、所定の間隔を置いて配置された相対する連結垂直リブ３ｅにより連結されており、更に、板部３ａには、補強用の垂直リブや水平リブが、適宜、形成されている。このような、下端水平リブ３ｂや上端水平リブ３ｃや中間水平リブ３ｄや連結垂直リブ３ｅや補強用の垂直リブや水平リブの板部３ａからの高さは、略同じに形成されている。
【００１３】
下端水平リブ３ｂと中間水平リブ３ｄと相対する連結垂直リブ３ｅとにより囲まれた領域（以下、カード差し取付領域という。）Ａ１に、後述する短側壁３と一体成形された固定カード差し部材Ｃ１や取り外し自在カード差し部材Ｃ２が配置されることになる。
【００１４】
また、図２に示されているように、カード差し取付領域Ａ１には、下端水平リブ３ｂと中間水平リブ３ｄとを連結するとともに、カード差し取付領域Ａ１を区画する複数本の区画垂直リブａ１が形成されている。少なくとも、カード差し取付領域Ａ１を形成する相対する連結垂直リブ３ｅ付近には、それぞれ、下端水平リブ３ｂと中間水平リブ３ｄと所定の間隔を置いて配置された相対する区画垂直リブａ１とにより囲まれた固定カード差し配設領域部Ａ１ａが形成されており、固定カード差し配設領域部Ａ１ａには、カード押え弾性片ｃ１及び該カード押え弾性片ｃ１の両側に形成された一対のカード押え固定垂直リブｃ２からなる固定カード差し部材Ｃ１が形成されている。なお、区画垂直リブａ１の板部３ａからの高さは、カード差し取付領域Ａ１を形成する下端水平リブ３ｂ、中間水平リブ３ｄ及び相対する連結垂直リブ３ｅより、低く構成されている。
【００１５】
上述したカード押え弾性片ｃ１は、一対の固定カード差し配設領域部Ａ１ａ内に位置する下端水平リブ３ｂの上面に、それぞれ、立設されており、カード押え弾性片ｃ１は、板部３ａに対して、略平行な垂直部ｃ１ａと、該垂直部ｃ１ａの上端から、板部３ａから遠ざかる方向に傾斜した傾斜部ｃ１ｂとから構成されている。
【００１６】
また、固定カード差し配設領域部Ａ１ａ内に位置する下端水平リブ３ｂの上面と板部３ａとにより形成される隅部には、上述した一対のカード押え固定垂直リブｃ２が立設されている。カード押え固定垂直リブｃ２は、カード押え弾性片ｃ１の垂直部ｃ１ａと略同じ高さの垂直リブ部ｃ２ａと、垂直リブ部ｃ２ａの上端から、板部３ａに向かって徐々に近接すような傾斜面を有する傾斜リブ部ｃ２ｂとを有しており、カード押え弾性片ｃ１とカード押え固定垂直リブｃ２とは、略同じ高さに形成されている。
【００１７】
上述したカード押え弾性片ｃ１と該カード押え弾性片ｃ１の両側に形成された一対のカード押え固定垂直リブｃ２とからなる固定カード差し部材Ｃ１を、板部３ａに平行な側部側から見た際には、公知のように、カード押え弾性片ｃ１の垂直部ｃ１ａとカード押え固定垂直リブｃ２の垂直リブ部ｃ２ａとの間には、スリットが形成されているとともに、カード押え弾性片ｃ１の傾斜部ｃ１ｂとカード押え固定垂直リブｃ２の傾斜リブ部ｃ２ｂとの間には、略Ｖ字状の楔状スリットが形成されている。
【００１８】
カード差し取付領域Ａ１に形成された一対の固定カード差し配設領域部Ａ１ａに、それぞれ配設された固定カード差し部材Ｃ１を構成するカード押え弾性片ｃ１の傾斜部ｃ１ｂとカード押え固定垂直リブｃ２の傾斜リブ部ｃ２ｂとの間に形成された楔状スリットに、カードＫ１の水平下端ｋ１を挿入するとともに、カードＫ１を更に下降させて、カードＫ１を、カード押え弾性片ｃ１の垂直部ｃ１ａとカード押え固定垂直リブｃ２の垂直リブ部ｃ２ａとの間に形成されたスリットに挿入することにより、図３に示されているように、一対の固定カード差し部材Ｃ１により、カードＫ１を、カード差し取付領域Ａ１に取り付けることができるように構成されている。
【００１９】
次に、図４及び図５を用いて、カード差し取付領域Ａ１に取付自在に配設される取り外し自在カード差し部材Ｃ２について説明する。
【００２０】
取り外し自在カード差し部材Ｃ２は、水平な板状の中央帯状基部ｃ３を有しており、中央帯状基部ｃ３の相対する長辺垂直端ｃ３ａ、ｃ３ｂのうちの一方の長辺垂直端（以下、前方長辺垂直端という。）ｃ３ａ側に位置する中央帯状基部ｃ３の上面には、もう一方の長辺垂直端（以下、後方長辺垂直端という。）ｃ３ｂ側に傾斜した方形状のカード押え弾性板材ｃ４が立設されているとともに、カード押え弾性板材ｃ４の上端部には、外側に向かって傾斜した（前方長辺垂直端ｃ３ａ方向に傾斜した）上端部傾斜面ｃ４ａが形成されている。なお、必要に応じて、カード押え弾性板材ｃ４の中央部に、適当な大きさの窓部ｃ４ｂを穿設することができる。
【００２１】
中央帯状基部ｃ３の相対する短辺垂直端ｃ３ｃと後方長辺垂直端ｃ３ｂとにより形成される角部には、それぞれ、中央帯状基部ｃ３に略垂直な縦長の取付ブロックｃ５が連接されている。取付ブロックｃ５は、下端水平梁ｃ６と、下端水平梁ｃ６の両端から上方に延在する相対する垂直梁ｃ７とを有しており、相対する垂直梁ｃ７の上半分は、連結ブロック部ｃ８により連結されており、取付ブロックｃ５の下半分には、下端水平梁ｃ６と相対する垂直梁ｃ７と連結ブロック部ｃ８により囲まれた嵌合窓ｃ９が形成されている。
【００２２】
連結ブロック部ｃ８の前方長辺垂直端ｃ３ａ側に位置する面（以下、前面という。）は、連結ブロック部ｃ８の上端から下方に向かうに従って、前方長辺垂直端ｃ３ａ側方向に上り坂状に傾斜した前面傾斜面ｃ８ａとして形成されているとともに、連結ブロック部ｃ８の両側面にも、側部傾斜面ｃ８ｂが形成されており、連結ブロック部ｃ８は、全体として、角錐台状に形成されている。また、連結ブロック部ｃ８の下端部には、奥壁ｃ１０ａと天部ｃ１０ｂと相対する側壁ｃ１０ｃとからなる嵌合凹部ｃ１０が形成されている。また、嵌合凹部ｃ１０を構成する天部ｃ１０ｂからは、補助リブｃ１１が垂下されている。
【００２３】
連結ブロック部ｃ８の後方長辺垂直端ｃ３ｂ側に位置する平坦な面（以下、裏面平坦面という。）ｃ８ｃの上端部には、上述した短側壁３に形成されたカード差し取付領域Ａ１に形成された一対の固定カード差し配設領域部Ａ１ａに位置する板部３ａに穿設された嵌合孔３ｆに嵌合可能な嵌合凸部ｃ１２が突設されている。なお、必要に応じて、連結ブロック部ｃ８の裏面平坦面ｃ８ｃには、軽量化のために、凹部ｃ８ｄが形成されている。
【００２４】
取り外し自在カード差し部材Ｃ２を構成する一対の取付ブロックｃ５は、短側壁３に形成されたカード差し取付領域Ａ１を構成する一対の固定カード差し配設領域部Ａ１ａに収容されるように構成されている。
【００２５】
次に、図６及び図７を用いて、取り外し自在カード差し部材Ｃ２の短側壁３に形成されたカード差し取付領域Ａ１への取り外し自在な取り付けについて説明する。
【００２６】
先ず最初に、図６に示されているように、取り外し自在カード差し部材Ｃ２を構成する取付ブロックｃ５の下端水平梁ｃ６を、短側壁３のカード差し取付領域Ａ１に形成された一対の固定カード差し部材Ｃ１を構成するカード押え弾性片ｃ１の傾斜部ｃ１ｂとカード押え固定垂直リブｃ２の傾斜リブ部ｃ２ｂとの間に形成された楔状スリットに挿入し、更に、取り外し自在カード差し部材Ｃ２を下降させて、取り外し自在カード差し部材Ｃ２を構成する中央帯状基部ｃ３を、短側壁３の下端水平リブ３ｂに接近或いは載置すると、短側壁３の形成された固定カード差し部材Ｃ１を構成するカード押え固定垂直リブｃ２が、取り外し自在カード差し部材Ｃ２の連結ブロック部ｃ８に穿設された嵌合窓ｃ９に嵌合されるとともに、固定カード差し部材Ｃ１を構成するカード押え弾性片ｃ１の少なくとも傾斜部ｃ１ｂが、取り外し自在カード差し部材Ｃ２の連結ブロック部ｃ８の下端部に形成された嵌合凹部ｃ１０に嵌合され、また、固定カード差し部材Ｃ１を構成するカード押え弾性片ｃ１が、取り外し自在カード差し部材Ｃ２の連結ブロック部ｃ８の嵌合凹部ｃ１０の天部ｃ１０ｂに垂設された補助リブｃ１１に、近接或いは当接するように構成されている。
【００２７】
また、上述したようにして、取り外し自在カード差し部材Ｃ２が、短側壁３のカード差し取付領域Ａ１に形成された一対の固定カード差し部材Ｃ１に取り付けられた際には、短側壁３に形成されたカード差し取付領域Ａ１に形成された一対の固定カード差し配設領域部Ａ１ａに位置する板部３ａに穿設された嵌合孔３ｆに、取り外し自在カード差し部材Ｃ２を構成する連結ブロック部ｃ８の裏面平坦面ｃ８ｃに突設された嵌合凸部ｃ１２が嵌合されるように構成されている。
【００２８】
更に、取り外し自在カード差し部材Ｃ２が、短側壁３のカード差し取付領域Ａ１に形成された一対の固定カード差し部材Ｃ１に取り付けられた際には、取り外し自在カード差し部材Ｃ２を構成する連結ブロック部ｃ８が、短側壁３のカード差し取付領域Ａ１に形成された固定カード差し部材Ｃ１を構成する区画垂直リブａ１に近接或いは当接するように構成されている。
【００２９】
更にまた、短側壁３のカード差し取付領域Ａ１から、取り外し自在カード差し部材Ｃ２を、取り外すには、取り外し自在カード差し部材Ｃ２の上端部を、短側壁３から離反する方向に移動させて、取り外し自在カード差し部材Ｃ２の上端を、カード差し取付領域Ａ１を形成する中間水平リブ３ｄの先端から離反させるとともに、固定カード差し部材Ｃ１を構成するカード押え弾性片ｃ１の傾斜部ｃ１ｂを、取り外し自在カード差し部材Ｃ２の連結ブロック部ｃ８の下端部に形成された嵌合凹部ｃ１０から排出させ、その後、取り外し自在カード差し部材Ｃ２を上方に移動させることにより、取り外し自在カード差し部材Ｃ２を、短側壁３から取り外すことができる。
【００３０】
短側壁３のカード差し取付領域Ａ１に取り付けられた取り外し自在カード差し部材Ｃ２に、カードＫ２を取り付けるには、カードＫ２の水平下端ｋ２を、取り外し自在カード差し部材Ｃ２の連結ブロック部ｃ８の前面傾斜面ｃ８ａに沿って下降させるとともに、カードＫ２の水平下端ｋ２を、カード押え弾性板材ｃ４の上端部に形成された上端部傾斜面ｃ４ａに沿って下降させて、図８に示されているように、一対の連結ブロック部ｃ８とカード押え弾性板材ｃ４との間に配置する。
【００３１】
上述したように、短側壁３のカード差し取付領域Ａ１に形成された一対の固定カード差し部材Ｃ１に、取り外し自在カード差し部材Ｃ２を、取外し自在に取り付けた際には、取り外し自在カード差し部材Ｃ２に、短側壁３の板部３ａから遠ざかる方向の負荷が加わっても、取り外し自在カード差し部材Ｃ２に形成された嵌合凹部ｃ１０には、固定カード差し部材Ｃ１を構成するカード押え弾性片ｃ１の上部が嵌合されており、取り外し自在カード差し部材Ｃ２が、外側に移動しようとしても、固定カード差し部材Ｃ１を構成するカード押え弾性片ｃ１が、取り外し自在カード差し部材Ｃ２に形成された嵌合凹部ｃ１０を構成する奥壁ｃ１０ａや補助リブｃ１１に当接するので、取り外し自在カード差し部材Ｃ２が、短側壁３から離脱するようなことがない。
【００３２】
また、取り外し自在カード差し部材Ｃ２を構成する取付ブロックｃ５が、固定カード差し配設領域部Ａ１ａを構成する相対する区画垂直リブａ１に近接或いは当接するように構成されているとともに、短側壁３に形成されたカード差し取付領域Ａ１に形成された一対の固定カード差し配設領域部Ａ１ａに位置する板部３ａに穿設された嵌合孔３ｆに、取り外し自在カード差し部材Ｃ２を構成する連結ブロック部ｃ８の裏面平坦面ｃ８ｃに突設された嵌合凸部ｃ１２が嵌合するように構成されているので、取り外し自在カード差し部材Ｃ２が、水平方向及び上下方向に移動するようなことがなく、取り外し自在カード差し部材Ｃ２を、安定した状態で、確実に、短側壁３に形成されたカード差し取付領域Ａ１に取り付けることができる。
【００３３】
カード押え弾性片ｃ１が、取り外し自在カード差し部材Ｃ２の取付ブロックｃ５の、上下方向における高い位置（中央位置）に当接するため、より外れ難くなる。（支点位置が高い。）
【００３４】
取り外し自在カード差し部材Ｃ２の前面傾斜面ｃ８ａと側部傾斜面ｃ８ｂとによって、連結ブロック部ｃ８が、カード押え弾性片ｃ１の傾斜部ｃ１ｂ先端より前面に突出した状態になるので、カード挿入時に、カードが、カード押え弾性片ｃ１の傾斜部ｃ１ｂ先端に引っ掛かることを防ぎ、スムーズにカードを挿入できる。
【００３５】
ところで、短側壁３と一体的に形成された固定カード差し部材Ｃ１には、通常、容器Ｂに関する情報や容器Ｂに収容される物品に関する情報等の種々の情報が蓄積された一枚のカードＫ１、Ｋ２を配設するように構成されているが、容器Ｂに収容されている物品が、搬送先の販売店等において、更に小分けされて、合成樹脂製の袋等の小容器に収容されることが行われている。このような場合には、複数の厚いカードを、短側壁３に配設された固定カード差し部材Ｃ１に挿着することになるが、このような複数の厚いカードを、固定カード差し部材Ｃ１に挿着すると、固定カード差し部材Ｃ１を構成するカード押え弾性片ｃ１が損傷することになる。
【００３６】
また、本発明においては、固定カード差し部材Ｃ１に取り付けられた取り外し自在カード差し部材Ｃ２に、複数の厚いカードを配設しても、取り外し自在カード差し部材Ｃ２に形成された嵌合凹部ｃ１０には、固定カード差し部材Ｃ１を構成するカード押え弾性片ｃ１の上部が嵌合されており、取り外し自在カード差し部材Ｃ２が、外側に移動しようとしても、固定カード差し部材Ｃ１を構成するカード押え弾性片ｃ１が、取り外し自在カード差し部材Ｃ２に形成された嵌合凹部ｃ１０を構成する奥壁ｃ１０ａや補助リブｃ１１に当接するので、取り外し自在カード差し部材Ｃ２が、短側壁３から離脱するようなことがない。
【００３７】
上述したように、容器Ｃに一体的に形成された固定カード差し部材Ｃ１に、取り外し自在カード差し部材Ｃ２を配設したので、大きさの異なるカードＫ１、Ｋ２や厚さの異なるカード等の種々のカードに対応するカードを、容器Ｂに配設することができる。
【００３８】
次に、図１及び図９〜図１１を用いて、長側壁２に取り付けられるカード収容部材Ｃ３について説明するが、先ず最初に、カード収容部材Ｃ３が取り付けられる長側壁２について概説する。
【００３９】
長側壁２は、板部２ａと、板部２ａの所定の下部から容器Ｂの外側に向かって水平に延在する下端水平リブ２ｂと、板部２ａの上端から容器Ｂの外側に向かって水平に延在する上端水平リブ２ｃと、下端水平リブ２ｂから所定の間隔を置いて配置された、容器Ｂの外側に向かって水平に延在する中間水平リブ２ｄを有している。また、下端水平リブ２ｂと中間水平リブ２ｄとは、所定の間隔を置いて配置された相対する連結垂直リブ２ｅにより連結されており、更に、板部２ａには、補強用の垂直リブや水平リブが、適宜、形成されている。
【００４０】
また、下端水平リブ２ｂと中間水平リブ２ｄとにより囲まれた領域の所定の領域に形成されている連結垂直リブ２ｅを省略することにより、長側壁２には、カード収容部材Ｃ３が取り付けられるカード収容部材取付領域Ａ２が形成されている。
【００４１】
本実施例の容器Ｂの長側壁２の板部２ａの上下方向中央部には、上部傾斜部２ａ１と垂直部２ａ２と下部傾斜部２ａ３とからなる内部水平凹部Ｖ１が形成されている。
【００４２】
上述したように、容器Ｂ内に、上述したように、上部傾斜部２ａ１と垂直部２ａ２と下部傾斜部２ａ３とからなる内部水平凹部Ｖ１ガ形成されているので、カード収容部材取付領域Ａ２の外面ａ２は、上部傾斜部２ａ１の下端部が位置する帯状上端傾斜面ａ２ａと、垂直部２ａ２が位置する中間垂直面ａ２ｂと、下部傾斜部２ａ３が位置する下部傾斜面ａ２ｃと、下端帯状垂直面ａ２ｄとから形成されている。
【００４３】
カード収容部材Ｃ３は、背板ｃ１０と前板ｃ１１と相対する側板ｃ１２と底板ｃ１３とを有している。また、背板ｃ１０には、上部水平帯状部ｃ１０ａ及び上部水平帯状部ｃ１０ａの両端部に位置する上部垂直帯状部ｃ１０ｂを残して、窓部ｃ１４が形成されている。また、前板ｃ１１と相対する側板ｃ１２は、背板ｃ１０より、底板ｃ１３からの高さが低く形成されている。
【００４４】
底板ｃ１３と側板ｃ１２とにより形成されているとともに、背板ｃ１０側に位置する隅部には、垂直取付板ｃ１５が形成されている。
【００４５】
また、相対する側板ｃ１２の背板ｃ１０側に位置する垂直縁部は、背板ｃ１０の上部垂直帯状部ｃ１０ｂが連接されている上部垂直縁部ｃ１２ａと、上部垂直縁部ｃ１２ａの下端から、垂直取付板ｃ１５付近まで延在する中間傾斜縁部ｃ１２ｂと、中間傾斜縁部ｃ１２ｂの下端から、底板ｃ１３まで延在する下部垂直縁部ｃ１２ｃとから構成されている。
【００４６】
上述した構成を有するカード収容部材Ｃ３を、カード収容部材取付領域Ａ２に配置した際には、カード収容部材Ｃ３の上部水平帯状部ｃ１０ａ、上部垂直帯状部ｃ１０ｂ及び側板ｃ１２の上部垂直縁部ｃ１２ａが、カード収容部材取付領域Ａ２の中間垂直面ａ２ｂに当接し、また、カード収容部材Ｃ３の側板ｃ１２の中間傾斜縁部ｃ１２ｂが、カード収容部材取付領域Ａ２の下部傾斜面ａ２ｃに当接し、更に、カード収容部材Ｃ３の垂直取付板ｃ１５が、カード収容部材取付領域Ａ２の下端帯状垂直面ａ２ｄに当接するように構成されている。
【００４７】
上述したようにして、カード収容部材Ｃ３を、カード収容部材取付領域Ａ２に配置した後、カード収容部材Ｃ３の上部水平帯状部ｃ１０ａの両端部付近及び垂直取付板ｃ１５を、カード収容部材取付領域Ａ２内に位置する板部２ａに、スポット溶着やリベット溶着等の周知の固着手段を用いて取り付ける。
【００４８】
ところで、上述したように、短側壁３と一体的に形成された固定カード差し部材Ｃ１には、通常、容器Ｂに関する情報や容器Ｂに収容される物品に関する情報等の種々の情報が蓄積された一枚のカードＫ１、Ｋ２を配設するように構成されているが、容器Ｂに収容されている物品が、搬送先の販売店等において、更に小分けされて、袋等の小容器に収容されることが行われている。このように、小分けされ物品に関する情報が蓄積された複数のカードは、従来、物品と一緒に、容器Ｂ内に収容されている。
【００４９】
上述したように、カードが、物品と一緒に、容器Ｂ内に収容されていると、容器Ｂ内に収容されている物品を小分けする際に、作業者は、容器Ｂ内に収容されているカードを探し出さなければならず、従って、小分け作業の作業効率が低下することになり、また、カードの輸送中や搬送中に、カードに物品が当接し、カードが損傷することになる。しかしながら、本発明においては、複数のカードは、長側壁２の外側に配設されたカード収容部材取付領域Ａ２に取り付けられているカード収容部材Ｃ３に収容されているので、カードが損傷するようなことを防止することができるととともに、カードの所在位置が、即座に分かるので、小分け作業の作業効率が向上する。
【００５０】
また、カード収容部材Ｃ３に、複数のカードを収容した際には、カードの下端部が、カード収容部材Ｃ３の背板ｃ１０に形成された窓部ｃ１４に挿入されるとともに、カードの下端部が、収容部材取付領域Ａ２の下部傾斜面ａ２ｃに沿って移動することにより、カードの上端部が、前板ｃ１１方向に傾動し、従って、カードのカード収容部材Ｃ３からの取り出しが容易になり、結果として、小分け作業の作業効率が向上する。
【００５１】
なお、上述した実施例においては、カード取付け容器が、折り畳みコンテナーとして説明されているが、側壁が折り畳み不可能な側壁と底部が一体成形された、所謂、ボックス容器とすることもできる。
【符号の説明】
【００５２】
Ａ１・・・・・・・・・・カード差し取付領域
Ａ２・・・・・・・・・・カード収容部材取付領域
Ｂ・・・・・・・・・・・カード取付け容器
Ｃ１・・・・・・・・・・固定カード差し部材
Ｃ２・・・・・・・・・・取り外し自在カード差し部材
Ｃ３・・・・・・・・・・カード収容部材
Ｋ１、Ｋ２・・・・・・・カード
１・・・・・・・・・・・底部
２・・・・・・・・・・・長側壁
３・・・・・・・・・・・短側壁
【図１】
2010208668.tif 000003
【図２】
2010208668.tif 000004
【図３】
2010208668.tif 000005
【図４】
2010208668.tif 000006
【図５】
2010208668.tif 000007
【図６】
2010208668.tif 000008
【図７】
2010208668.tif 000009
【図８】
2010208668.tif 000010
【図９】
2010208668.tif 000011
【図１０】
2010208668.tif 000012
【図１１】
2010208668.tif 000013
【図１２】
2010208668.tif 000014